(57)【要約】【課題】ユーザが、購入した宝くじについて、一部の番号を入力するだけで宝くじの当選確率を知ることができるようにする。【解決手段】ユーザが、ユーザ端末装置２００を用いて、保有する宝くじの一部の番号を宝くじ当選通知装置１００に送信する。照合要求入力部１１０はユーザ端末装置２００から一部の番号を受信し、当選番号照合部１３０は一部の番号と宝くじの当選番号とを照合する。当選確率算出部１４０は、照合結果に基づいて、ユーザが保有する宝くじの番号と宝くじの当選番号との適合確率を算出し、照合応答出力部１５０は適合確率をユーザが保有する宝くじの当選確率としてユーザ端末装置２００に送信する。【選択図】図１
2008033650.tif 000002
【特許請求の範囲】
【請求項１】
入力記号を含む複数記号から成る照合記号について、複数記号から成る特定記号に対する照合記号の適合確率を算出する照合装置であり、
特定記号を記憶する特定記号記憶部と、
照合記号の一部である１以上の記号を入力記号として入力機器から入力する照合記号入力部と、
前記照合記号入力部が入力した入力記号と前記特定記号記憶部に記憶されている特定記号とに基づいて特定記号に対する入力記号の照合結果を中央処理装置を用いて算出する照合部と、
前記照合部が算出した入力記号の照合結果に基づいて特定記号に対する照合記号の適合確率を中央処理装置を用いて算出する適合確率算出部と
を備えることを特徴とする照合装置。
【請求項２】
前記照合記号入力部は、さらに、照合記号の他部である１以上の記号を新たな入力記号として入力し、
前記照合部は前記照合記号入力部が入力した新たな入力記号と特定記号との新たな照合結果を算出し、
前記適合確率算出部は前記照合部が算出した前回の照合結果と新たな照合結果とに基づいて新たに適合確率を算出する
ことを特徴とする請求項１記載の照合装置。
【請求項３】
前記照合記号入力部は、さらに、照合記号において入力記号が位置する桁の情報を入力し、
前記照合部は、前記照合記号入力部が入力した桁の情報に基づいて特定記号に対する入力記号の照合結果を算出する
ことを特徴とする請求項１〜請求項２いずれかに記載の照合装置。
【請求項４】
前記照合装置は、さらに、
くじの抽選日とくじに関するウェブページのアドレスとを記憶するくじ情報記憶部と、
前記くじ情報記憶部に記憶されている抽選日以降であるかを中央処理装置を用いて判定する抽選日判定部と、
前記抽選日判定部が抽選日以降であると判定した場合に前記くじ情報記憶部に記憶されているアドレスのウェブページからくじの当選記号を取得し、取得した当選記号を特定記号として前記特定記憶部に記憶する当選記号取得部と
を備えてくじの当選確率を算出することを特徴とする請求項１〜請求項３いずれかに記載の照合装置。
【請求項５】
前記照合装置は、くじの当選記号を特定記号としてくじの当選確率を算出する照合装置であり、
電子メールのアドレスを記憶するアドレス情報記憶部と、
当選したくじの引き換え有効期限を記憶する有効期限記憶部と、
前記適合確率算出部がくじの当選確率として算出した適合確率に基づくくじの当選確率情報と前記有効期限記憶部に記憶されている有効期限とを前記アドレス情報記憶部に記憶されているアドレス宛てに電子メール送信する情報送信部と
を、さらに、備えたことを特徴とする請求項１〜請求項４いずれかに記載の照合装置。
【請求項６】
入力記号を含む複数記号から成る照合記号について、複数記号から成る特定記号に対する照合記号の適合確率を算出する照合装置の照合プログラムであり、
特定記号記憶部が特定記号を記憶する特定記号記憶処理と、
照合記号入力部が照合記号の一部である１以上の記号を入力記号として入力機器から入力する照合記号入力処理と、
照合部が前記照合記号入力部が入力した入力記号と前記特定記号記憶部に記憶されている特定記号とに基づいて特定記号に対する入力記号の照合結果を中央処理装置を用いて算出する照合処理と、
適合確率算出部が前記照合部が算出した入力記号の照合結果に基づいて特定記号に対する照合記号の適合確率を中央処理装置を用いて算出する適合確率算出処理と
をコンピュータに実行させることを特徴とする照合装置の照合プログラム。
【請求項７】
前記照合記号入力部は、さらに、照合記号の他部である１以上の記号を新たな入力記号として入力し、
前記照合部は前記照合記号入力部が入力した新たな入力記号と特定記号との新たな照合結果を算出し、
前記適合確率算出部は前記照合部が算出した前回の照合結果と新たな照合結果とに基づいて新たに適合確率を算出する
ことを特徴とする請求項６記載の照合装置の照合プログラム。
【請求項８】
前記照合記号入力部は、さらに、照合記号において入力記号が位置する桁の情報を入力し、
前記照合部は、前記照合記号入力部が入力した桁の情報に基づいて特定記号に対する入力記号の照合結果を算出する
ことを特徴とする請求項６〜請求項７いずれかに記載の照合装置の照合プログラム。
【請求項９】
前記照合装置の照合プログラムは、さらに、
抽選日判定部がくじの抽選日とくじに関するウェブページのアドレスとを記憶するくじ情報記憶部に記憶されている抽選日以降であるかを中央処理装置を用いて判定する抽選日判定処理と、
当選記号取得部が前記抽選日判定部が抽選日以降であると判定した場合に前記くじ情報記憶部に記憶されているアドレスのウェブページからくじの当選記号を取得し、取得した当選記号を特定記号として前記特定記憶部に記憶する当選記号取得処理と
をコンピュータに実行させてくじの当選確率を算出することを特徴とする請求項６〜請求項８いずれかに記載の照合装置の照合プログラム。
【請求項１０】
前記照合装置の照合プログラムは、くじの当選記号を特定記号としてくじの当選確率を算出する照合装置の照合プログラムであり、
情報送信部が前記適合確率算出部がくじの当選確率として算出した適合確率に基づくくじの当選確率情報と、当選したくじの引き換え有効期限を記憶する有効期限記憶部に記憶されている有効期限とを、電子メールのアドレスを記憶するアドレス情報記憶部に記憶されているアドレス宛てに電子メール送信する情報送信処理と
を、さらに、コンピュータに実行させることを特徴とする請求項６〜請求項９いずれかに記載の照合装置の照合プログラム。
【請求項１１】
入力記号を含む複数記号から成る照合記号について、複数記号から成る特定記号に対する照合記号の適合確率を算出する照合装置の照合方法であり、
特定記号記憶部が特定記号を記憶する特定記号記憶処理を行い、
照合記号入力部が照合記号の一部である１以上の記号を入力記号として入力機器から入力する照合記号入力処理を行い、
照合部が前記照合記号入力部が入力した入力記号と前記特定記号記憶部に記憶されている特定記号とに基づいて特定記号に対する入力記号の照合結果を中央処理装置を用いて算出する照合処理を行い、
適合確率算出部が前記照合部が算出した入力記号の照合結果に基づいて特定記号に対する照合記号の適合確率を中央処理装置を用いて算出する適合確率算出処理を行う
ことを特徴とする照合装置の照合方法。
【発明の詳細な説明】
【技術分野】
【０００１】
本発明は、例えば、ウェブシステムを利用して情報提供を行う照合装置、照合装置の照合プログラム、照合装置の照合方法に関するものである。
【背景技術】
【０００２】
宝くじの当選判定は、当選日以降にインターネットの宝くじ当選番号案内・照会ページや新聞の当選番号欄に掲載されている当選番号と購入した宝くじの番号とを目視で比較するか、宝くじ共同購入サイトが提供する購入番号・当選番号の照合ソフトを使うか、宝くじ売り場へ券を持ち込んで当選可否判定をして貰うかしか方法がなかった。つまり、宝くじの当選判定を行うことについてネットワーク利用が進んでおらず、現時点では、事前登録した宝くじ購入番号に対する当選判定を行い、携帯メールで当たり／ハズレの通知を行うサービスは存在しない。
また、宝くじの当選判定に関して記載した特許文献１、特許文献２、特許文献３が存在するが、購入番号の一部に基づいて当選判定を行うことについてはいずれの文献にも記載されていない。
【特許文献１】特開２００３−３４５９３８号公報
【特許文献２】特開２００２−１４９８９３号公報
【特許文献３】特開２００２−１４９８９６号公報
【発明の開示】
【発明が解決しようとする課題】
【０００３】
本発明は、例えば、ユーザが宝くじの購入番号の下２〜３桁を指定しただけでユーザが購入した宝くじの当たり／ハズレの可能性を判定し、携帯メールで当たり／ハズレの通知を行うことができるようにすることを目的とする。
【課題を解決するための手段】
【０００４】
本発明の照合装置は、入力記号を含む複数記号から成る照合記号について、複数記号から成る特定記号に対する照合記号の適合確率を算出する照合装置であり、特定記号を記憶する特定記号記憶部と、照合記号の一部である１以上の記号を入力記号として入力機器から入力する照合記号入力部と、前記照合記号入力部が入力した入力記号と前記特定記号記憶部に記憶されている特定記号とに基づいて特定記号に対する入力記号の照合結果を中央処理装置を用いて算出する照合部と、前記照合部が算出した入力記号の照合結果に基づいて特定記号に対する照合記号の適合確率を中央処理装置を用いて算出する適合確率算出部とを備えることを特徴とする。
【０００５】
また、前記照合装置において、前記照合記号入力部は、さらに、照合記号の他部である１以上の記号を新たな入力記号として入力し、前記照合部は前記照合記号入力部が入力した新たな入力記号と特定記号との新たな照合結果を算出し、前記適合確率算出部は前記照合部が算出した前回の照合結果と新たな照合結果とに基づいて新たに適合確率を算出することを特徴とする。
【０００６】
また、前記照合装置において、前記照合記号入力部は、さらに、照合記号において入力記号が位置する桁の情報を入力し、前記照合部は、前記照合記号入力部が入力した桁の情報に基づいて特定記号に対する入力記号の照合結果を算出することを特徴とする。
【０００７】
また、前記照合装置は、さらに、くじの抽選日とくじに関するウェブページのアドレスとを記憶するくじ情報記憶部と、前記くじ情報記憶部に記憶されている抽選日以降であるかを中央処理装置を用いて判定する抽選日判定部と、前記抽選日判定部が抽選日以降であると判定した場合に前記くじ情報記憶部に記憶されているアドレスのウェブページからくじの当選記号を取得し、取得した当選記号を特定記号として前記特定記憶部に記憶する当選記号取得部とを備えてくじの当選確率を算出することを特徴とする。
【０００８】
また、前記照合装置は、くじの当選記号を特定記号としてくじの当選確率を算出する照合装置であり、電子メールのアドレスを記憶するアドレス情報記憶部と、当選したくじの引き換え有効期限を記憶する有効期限記憶部と、前記適合確率算出部がくじの当選確率として算出した適合確率に基づくくじの当選確率情報と前記有効期限記憶部に記憶されている有効期限とを前記アドレス情報記憶部に記憶されているアドレス宛てに電子メール送信する情報送信部とを、さらに、備えたことを特徴とする。
【０００９】
本発明の照合プログラムは、入力記号を含む複数記号から成る照合記号について、複数記号から成る特定記号に対する照合記号の適合確率を算出する照合装置の照合プログラムであり、特定記号記憶部が特定記号を記憶する特定記号記憶処理と、照合記号入力部が照合記号の一部である１以上の記号を入力記号として入力機器から入力する照合記号入力処理と、照合部が前記照合記号入力部が入力した入力記号と前記特定記号記憶部に記憶されている特定記号とに基づいて特定記号に対する入力記号の照合結果を中央処理装置を用いて算出する照合処理と、適合確率算出部が前記照合部が算出した入力記号の照合結果に基づいて特定記号に対する照合記号の適合確率を中央処理装置を用いて算出する適合確率算出処理とをコンピュータに実行させることを特徴とする。
【００１０】
また、前記照合プログラムにおいて、前記照合記号入力部は、さらに、照合記号の他部である１以上の記号を新たな入力記号として入力し、前記照合部は前記照合記号入力部が入力した新たな入力記号と特定記号との新たな照合結果を算出し、前記適合確率算出部は前記照合部が算出した前回の照合結果と新たな照合結果とに基づいて新たに適合確率を算出することを特徴とする。
【００１１】
また、前記照合プログラムにおいて、前記照合記号入力部は、さらに、照合記号において入力記号が位置する桁の情報を入力し、前記照合部は、前記照合記号入力部が入力した桁の情報に基づいて特定記号に対する入力記号の照合結果を算出することを特徴とする。
【００１２】
また、前記照合装置の照合プログラムは、さらに、抽選日判定部がくじの抽選日とくじに関するウェブページのアドレスとを記憶するくじ情報記憶部に記憶されている抽選日以降であるかを中央処理装置を用いて判定する抽選日判定処理と、当選記号取得部が前記抽選日判定部が抽選日以降であると判定した場合に前記くじ情報記憶部に記憶されているアドレスのウェブページからくじの当選記号を取得し、取得した当選記号を特定記号として前記特定記憶部に記憶する当選記号取得処理とをコンピュータに実行させてくじの当選確率を算出することを特徴とする。
【００１３】
また、前記照合装置の照合プログラムは、くじの当選記号を特定記号としてくじの当選確率を算出する照合装置の照合プログラムであり、情報送信部が前記適合確率算出部がくじの当選確率として算出した適合確率に基づくくじの当選確率情報と、当選したくじの引き換え有効期限を記憶する有効期限記憶部に記憶されている有効期限とを、電子メールのアドレスを記憶するアドレス情報記憶部に記憶されているアドレス宛てに電子メール送信する情報送信処理とを、さらに、コンピュータに実行させることを特徴とする。
【００１４】
本発明の照合方法は、入力記号を含む複数記号から成る照合記号について、複数記号から成る特定記号に対する照合記号の適合確率を算出する照合装置の照合方法であり、特定記号記憶部が特定記号を記憶する特定記号記憶処理を行い、照合記号入力部が照合記号の一部である１以上の記号を入力記号として入力機器から入力する照合記号入力処理を行い、照合部が前記照合記号入力部が入力した入力記号と前記特定記号記憶部に記憶されている特定記号とに基づいて特定記号に対する入力記号の照合結果を中央処理装置を用いて算出する照合処理を行い、適合確率算出部が前記照合部が算出した入力記号の照合結果に基づいて特定記号に対する照合記号の適合確率を中央処理装置を用いて算出する適合確率算出処理を行うことを特徴とする。
【発明の効果】
【００１５】
本発明によれば、例えば、宝くじの購入番号の下２〜３桁に基づいてユーザが購入した宝くじの当たり／ハズレの可能性を判定し、携帯メールで当たり／ハズレの通知を行うことができる。
これにより、ユーザは宝くじの当選可否判定を手軽に、確実に、迅速に行うことができる。また、ユーザは当選番号の全桁確認の前に当選の可能性について知ることができ、その後に全桁確認を行って当選／ハズレを確定することにより宝くじを２倍楽しむことができる。
また、本発明により、宝くじの当選判定にインターネットを活用することができる。
【発明を実施するための最良の形態】
【００１６】
実施の形態１．
図１は、実施の形態１における宝くじ当選通知システム３００の構成図である。
実施の形態１における宝くじ当選通知システム３００の構成について、図１に基づいて以下に説明する。
【００１７】
宝くじ当選通知システム３００はユーザが購入した宝くじの番号について宝くじの当選判定を依頼するユーザ端末装置２００と、依頼された宝くじの番号について当選判定を行い判定結果を通知する宝くじ当選通知装置１００とを有する。
また、宝くじ当選通知装置１００とユーザ端末装置２００とはインターネット９４０を介して通信を行う。
ユーザ端末装置２００は、例えば、携帯電話やパーソナルコンピュータのことである。
【００１８】
宝くじ当選通知装置１００（照合装置の一例）はユーザが購入した宝くじの番号について一部分の番号を当選番号と照合し、ユーザが購入した宝くじの当選確率を照合結果に基づいて算出し、算出した当選確率に関してユーザ端末装置２００に通知を行うことを特徴とする。
【００１９】
宝くじ当選通知装置１００は照合要求入力部１１０、照合要求解析部１２０、当選番号照合部１３０、当選確率算出部１４０、照合応答出力部１５０、宝くじ情報取得部１６０、宝くじ情報記憶部１９１、ユーザ情報記憶部１９２および照合要求記憶部１９３を備える。
照合要求入力部１１０（照合記号入力部の一例）は、ユーザが購入した宝くじの当否についての照合要求をユーザ端末装置２００から通信ボード９１５を用いて受信する。
照合要求解析部１２０は照合要求入力部１１０が受信した照合要求を解析する。
当選番号照合部１３０（照合部の一例）は、照合要求解析部１２０が解析した照合要求解析結果に基づいて、ユーザが購入した宝くじの一部分の番号を当選番号と照合する。
当選確率算出部１４０（適合確率算出部）は、当選番号照合部１３０が照合した照合結果に基づいて、ユーザが購入した宝くじの当選確率を算出する。
照合応答出力部１５０（情報送信部）は、当選確率算出部１４０が算出した当選確率に基づいて、ユーザが購入した宝くじの当否についての照合応答を通信ボード９１５を用いてユーザ端末装置２００に送信する。
宝くじ情報取得部１６０（抽選日判定部、当選記号取得部の一例）は、抽選日、当選番号、当選有効期限などの宝くじ情報を通信ボード９１５を用いてインターネット９４０から取得する。
宝くじ情報記憶部１９１（くじ情報記憶部、特定記号記憶部、有効期限記憶部の一例）は、宝くじに関するウェブページのアドレスや宝くじに関するウェブページから取得した宝くじの抽選日、当選番号、当選有効期限、開催回数などの宝くじ情報を記憶する記憶機器である。
ユーザ情報記憶部１９２（アドレス情報記憶部）は、ユーザＩＤ（Ｉｄｅｎｔｉｆｉｅｒ）や電子メールアドレスなどのユーザ情報を記憶する記憶機器である。
照合要求記憶部１９３は、照合要求入力部１１０が受信した照合要求や照合要求解析部１２０が解析した照合要求解析結果を記憶する記憶機器である。
【００２０】
以下、ユーザが購入した宝くじの番号のことを「購入番号（照合記号の一例）」とする。
また、購入番号に含まれる一部の番号であり、照合要求に含まれる番号のことを「照合要求番号（入力記号の一例）」とする。
また、当選番号（特定記号の一例）に対する購入番号の適合確率を「当選確率」とする。
また、宝くじに関するウェブページのことを「宝くじウェブページ」とする。
また、宝くじウェブページには抽選日、当選番号、当選有効期限などが宝くじを識別する開催回数や種別に対応付けられて登録されるものとする。
また、宝くじの種別として「ジャンボ宝くじ」、「全国自治宝くじ」などと呼ばれる６桁程度の番号で一意に識別される通常の宝くじを例にして説明する。
【００２１】
図２は、実施の形態１における宝くじ当選通知装置１００の外観の一例を示す図である。
図２において、宝くじ当選通知装置１００は、システムユニット９１０、ＣＲＴ（Ｃａｔｈｏｄｅ・Ｒａｙ・Ｔｕｂｅ）やＬＣＤ（液晶）の表示画面を有する表示装置９０１、キーボード９０２（Ｋｅｙ・Ｂｏａｒｄ：Ｋ／Ｂ）、マウス９０３、ＦＤＤ９０４（Ｆｌｅｘｉｂｌｅ・Ｄｉｓｋ・  Ｄｒｉｖｅ）、ＣＤＤ９０５（コンパクトディスク装置）、プリンタ装置９０６、スキャナ装置９０７、マイク９０８、スピーカー９０９などのハードウェア資源を備え、これらはケーブルや信号線で接続されている。
システムユニット９１０は、コンピュータであり、ファクシミリ機９３２、電話器９３１とケーブルで接続され、また、ＬＡＮ９４２（ローカルエリアネットワーク）、ゲートウェイ９４１を介してインターネット９４０に接続されている。
【００２２】
図３は、実施の形態１における宝くじ当選通知装置１００のハードウェア資源の一例を示す図である。
図３において、宝くじ当選通知装置１００は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、通信ボード９１５、表示装置９０１、キーボード９０２、マウス９０３、ＦＤＤ９０４、ＣＤＤ９０５、プリンタ装置９０６、スキャナ装置９０７、マイク９０８、スピーカー９０９、磁気ディスク装置９２０と接続され、これらのハードウェアデバイスを制御する。磁気ディスク装置９２０の代わりに、光ディスク装置、メモリカード読み書き装置などの記憶装置でもよい。
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。これらは、記憶機器、記憶装置あるいは記憶部の一例である。
通信ボード９１５、キーボード９０２、スキャナ装置９０７、ＦＤＤ９０４などは、入力機器、入力装置あるいは入力部の一例である。
また、通信ボード９１５、表示装置９０１、プリンタ装置９０６などは、出力機器、出力装置あるいは出力部の一例である。
【００２３】
通信ボード９１５は、ファクシミリ機９３２、電話器９３１、ＬＡＮ９４２等に接続されている。通信ボード９１５は、ＬＡＮ９４２に限らず、インターネット９４０、ＩＳＤＮ等のＷＡＮ（ワイドエリアネットワーク）などに接続されていても構わない。インターネット９４０或いはＩＳＤＮ等のＷＡＮに接続されている場合、ゲートウェイ９４１は不用となる。
磁気ディスク装置９２０には、ＯＳ９２１（オペレーティングシステム）、ウィンドウシステム９２２、プログラム群９２３、ファイル群９２４が記憶されている。プログラム群９２３のプログラムは、ＣＰＵ９１１、ＯＳ９２１、ウィンドウシステム９２２により実行される。
【００２４】
上記プログラム群９２３には、実施の形態において「〜部」として説明する機能を実行するプログラムが記憶されている。プログラムは、ＣＰＵ９１１により読み出され実行される。
ファイル群９２４には、実施の形態において、「〜部」の機能を実行した際の「〜の判定結果」、「〜の計算結果」、「〜の処理結果」などの結果データ、「〜部」の機能を実行するプログラム間で受け渡しするデータ、その他の情報やデータや信号値や変数値やパラメータが、「〜ファイル」や「〜データベース」の各項目として記憶されている。「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵの動作に用いられる。抽出・検索・参照・比較・演算・計算・処理・出力・印刷・表示のＣＰＵの動作の間、情報やデータや信号値や変数値やパラメータは、メインメモリやキャッシュメモリやバッファメモリに一時的に記憶される。
また、実施の形態において説明するフローチャートの矢印の部分は主としてデータや信号の入出力を示し、データや信号値は、ＲＡＭ９１４のメモリ、ＦＤＤ９０４のフレキシブルディスク、ＣＤＤ９０５のコンパクトディスク、磁気ディスク装置９２０の磁気ディスク、その他光ディスク、ミニディスク、ＤＶＤ（Ｄｉｇｉｔａｌ・Ｖｅｒｓａｔｉｌｅ・Ｄｉｓｃ）等の記録媒体に記録される。また、データや信号値は、バス９１２や信号線やケーブルその他の伝送媒体によりオンライン伝送される。
【００２５】
また、実施の形態において「〜部」として説明するものは、「〜回路」、「〜装置」、「〜機器」、「〜手段」であってもよく、また、「〜ステップ」、「〜手順」、「〜処理」であってもよい。すなわち、「〜部」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、照合プログラムは、「〜部」としてコンピュータを機能させるものである。あるいは、「〜部」の手順や方法をコンピュータに実行させるものである。
【００２６】
図４は、実施の形態１における宝くじ当選通知装置１００が実行する照合処理を示すフローチャートである。
実施の形態１における宝くじ当選通知装置１００の照合方法について、図４に基づいて以下に説明する。
「〜部」と説明する宝くじ当選通知装置１００の各構成要素は、以下の処理をＣＰＵ９１１を用いて実行する。
【００２７】
＜Ｓ１０１：照合要求入力処理（照合記号入力処理の一例）＞
まず、照合要求入力部１１０は、ユーザが購入した宝くじの当否についての照合要求をユーザ端末装置２００から受信する。
＜Ｓ１０２：照合要求解析処理＞
次に、照合要求解析部１２０は照合要求入力部１１０が受信した照合要求を解析する。
＜Ｓ１０３：当選番号照合処理（照合処理の一例）＞
次に、当選番号照合部１３０は、照合要求解析部１２０が解析した照合要求解析結果に基づいて、ユーザが購入した宝くじの一部分の番号（照合要求番号）を当選番号と照合する。
＜Ｓ１０４：当選確率算出処理（適合確率算出処理の一例）＞
次に、当選確率算出部１４０は、当選番号照合部１３０が照合した照合結果に基づいて、ユーザが購入した宝くじの当選確率（当選番号に対する購入番号の適合確率）を算出する。
＜Ｓ１０５：照合応答出力処理（情報送信処理）＞
次に、照合応答出力部１５０は、当選確率算出部１４０が算出した当選確率に基づいて、ユーザが購入した宝くじの当否についての照合応答をユーザ端末装置２００に送信する。
【００２８】
上記照合処理（Ｓ１０１〜Ｓ１０５）により、宝くじ当選通知装置１００はユーザが購入した宝くじの購入番号について一部分の照合要求番号を当選番号と照合し、照合結果に基づいて当選番号に対する購入番号の適合確率を算出し、算出した適合確率を購入番号の当選確率としてユーザ端末装置２００に通知する。
【００２９】
上記照合処理を構成する各処理（Ｓ１０１〜Ｓ１０５）の詳細については後述する。
【００３０】
図５は、実施の形態１における宝くじ情報取得部１６０が実行する宝くじ情報取得処理を示すフローチャートである。
上記照合処理（Ｓ１０１〜Ｓ１０５）の詳細を説明する前に、宝くじ情報取得部１６０による宝くじ情報取得処理について、図５に基づいて以下に説明する。
以下に説明する宝くじ情報取得処理により、宝くじ当選通知装置１００は宝くじ情報記憶部１９１に宝くじ情報を記憶する。そして、宝くじ情報記憶部１９１に記憶された宝くじ情報を使用して、当選番号照合部１３０は当選番号照合処理（Ｓ１０３）を実行し、当選確率算出部１４０は当選確率算出処理（Ｓ１０４）を実行する。
ここで、宝くじ情報記憶部１９１には宝くじウェブページのアドレスが予め記憶されているものとする。
宝くじ情報取得部１６０は以下の処理をＣＰＵ９１１を用いて実行する。
【００３１】
＜Ｓ２０１：期日情報取得処理＞
まず、宝くじ情報取得部１６０は宝くじウェブページから宝くじの期日情報を取得する。
このとき、宝くじ情報取得部１６０は宝くじウェブページのアドレスを宝くじ情報記憶部１９１から取得し、取得したアドレスを使用して宝くじウェブページにアクセスし、アクセスした宝くじウェブページから各宝くじについて抽選日や当選有効期限などの期日情報と開催回数や種別などの宝くじの識別情報とを取得する。そして、宝くじ情報取得部１６０は取得した期日情報と識別情報とを対応付けて宝くじ情報記憶部１９１に記憶する。
期日情報と識別情報とは宝くじ情報の一例である。
【００３２】
＜Ｓ２０２：抽選日判定処理＞
次に、宝くじ情報取得部１６０は抽選日を迎えた宝くじを判定し、抽選日を迎えた宝くじの宝くじ情報（識別情報）を宝くじ情報記憶部１９１から取得する。
このとき、宝くじ情報取得部１６０は、宝くじ情報記憶部１９１に記憶された各宝くじ情報に含まれる抽選日を当日日付と比較し、当日日付が抽選日以降である宝くじ情報を判定し、当日日付が抽選日以降であると判定した宝くじ情報を宝くじ情報記憶部１９１から取得する。ただし、当選番号を取得済みの宝くじ情報は除く。
【００３３】
＜Ｓ２０３：当選番号取得処理（当選記号取得処理の一例）＞
そして、宝くじ情報取得部１６０は抽選日を迎えた宝くじの当選番号を宝くじウェブページから取得する。
このとき、宝くじ情報取得部１６０は、Ｓ２０１における宝くじ情報取得部１６０と同様に、宝くじ情報記憶部１９１に記憶されたアドレスで宝くじウェブページにアクセスする。そして、宝くじ情報取得部１６０は、Ｓ２０２で取得した宝くじ情報に含まれる開催回数や種別などの識別情報に基づいて、抽選日を迎えた宝くじの当選番号を宝くじウェブページから抽出する。宝くじ情報取得部１６０は取得した当選番号を開催回数や種別などの識別情報に対応付けて宝くじ情報記憶部１９１に記憶する。
当選番号は宝くじ情報の一例である。
【００３４】
次に、実施の形態１における照合方法を構成する各処理（Ｓ１０１〜Ｓ１０５）の詳細について説明する。
【００３５】
図６は、実施の形態１における照合要求入力処理（Ｓ１０１）を示すフローチャートである。
まず、照合要求入力処理（Ｓ１０１）について、図６に基づいて以下に説明する。
照合要求入力処理（Ｓ１０１）では、照合要求入力部１１０はユーザが購入した宝くじの当否についての照合要求をユーザ端末装置２００から受信する。
照合要求入力部１１０、ユーザ端末装置２００は以下の処理をＣＰＵ９１１を用いて実行する。
【００３６】
＜Ｓ３０１：購入番号情報入力処理＞
まず、ユーザは、ユーザを識別するユーザＩＤ（Ｉｄｅｎｔｉｆｉｅｒ）と、宝くじを識別する開催回数や種別と、宝くじの購入番号の一部分である照合要求番号と、購入番号において照合要求番号が位置する桁を示す照合要求桁（桁の情報）とを購入番号情報としてユーザ端末装置２００に入力する。ユーザは複数の購入番号について購入番号情報を入力してもよい。
＜Ｓ３０２：照合要求送信処理＞
次に、ユーザ端末装置２００はＳ３０１においてユーザに指定された購入番号情報を入力して、入力した購入番号情報を照合要求として宝くじ当選通知装置１００に送信する。
＜Ｓ３０３：照合要求受信処理＞
そして、照合要求入力部１１０はユーザ端末装置２００から照合要求を受信し、受信した照合要求を照合要求解析部１２０に出力する。
【００３７】
図７は、実施の形態１における照合要求解析部１２０が実行する照合要求解析処理（Ｓ１０２）を示すフローチャートである。
次に、照合要求解析処理（Ｓ１０２）について、図７に基づいて以下に説明する。
照合要求解析処理（Ｓ１０２）では、照合要求解析部１２０はＳ１０１において照合要求入力部１１０が受信した照合要求を解析する。
照合要求解析部１２０は以下の処理をＣＰＵ９１１を用いて実行する。
【００３８】
＜Ｓ４０１：照合要求取得処理＞
まず、照合要求解析部１２０はＳ１０１において照合要求入力部１１０が受信した照合要求を入力する。
＜Ｓ４０２：照合要求情報抽出処理＞
次に、照合要求解析部１２０はＳ４０１で入力した照合要求からユーザＩＤ（ユーザの識別情報）、開催回数・種別（宝くじの識別情報）、照合要求番号、照合要求桁などの照合要求に関する情報を照合要求番号毎に抽出する。
＜Ｓ４０３：照合要求解析結果記憶処理＞
そして、照合要求解析部１２０は抽出した各照合要求に関する照合要求番号毎の情報を照合要求解析結果として照合要求記憶部１９３に記憶する。
【００３９】
上記照合要求解析処理（Ｓ１０２、Ｓ４０１〜Ｓ４０３）により、照合要求記憶部１９３には照合要求番号それぞれについて照合要求解析結果が記憶される。そして、Ｓ１０３〜Ｓ１０５により、宝くじ当選通知装置１００は抽選日を迎えた宝くじを照合対象とする各照合要求番号についてユーザ端末装置２００に照合応答を送信する。
【００４０】
つまり、宝くじ当選通知装置１００は、Ｓ１０１〜Ｓ１０２の処理により各ユーザから要求された各照合要求を登録し、Ｓ１０３〜Ｓ１０５の処理により抽選日を迎えた購入番号について当選確率をユーザに通知する。
【００４１】
図８は、実施の形態１における当選番号照合部１３０が実行する当選番号照合処理（Ｓ１０３）を示すフローチャートである。
次に、当選番号照合処理（Ｓ１０３）について、図８に基づいて以下に説明する。
当選番号照合処理（Ｓ１０３）では、当選番号照合部１３０は、照合要求記憶部１９３に記憶されている各照合要求解析結果に基づいて、ユーザが購入した宝くじの一部分である照合要求番号を当選番号と照合する。
例えば、当選番号照合部１３０は毎日定刻に、宝くじ情報取得部１６０が当選番号を取得（Ｓ２０３）したときに、または、照合要求入力部１１０が照合要求を受信（Ｓ３０３）したときに当選番号照合処理（Ｓ１０３）を実行する。
当選番号照合部１３０は以下の処理をＣＰＵ９１１を用いて実行する。
【００４２】
＜Ｓ５０１：照合要求解析結果取得処理＞
まず、当選番号照合部１３０は照合要求記憶部１９３から照合要求解析結果を取得する。
【００４３】
＜Ｓ５０２：宝くじ情報取得処理＞
次に、当選番号照合部１３０は照合要求解析結果に基づいて宝くじ情報記憶部１９１から宝くじ情報を取得する。
このとき、当選番号照合部１３０は照合要求解析結果が示す照合要求番号に対して照合する当選番号を含む宝くじ情報を宝くじ情報記憶部１９１から取得する。
例えば、当選番号照合部１３０はＳ５０１において取得した照合要求解析結果から１つの照合要求解析結果を選択する。次に、当選番号照合部１３０は選択した照合要求解析結果から開催回数や種別などの宝くじの識別情報を取得する。次に、当選番号照合部１３０は取得した識別情報と宝くじ情報記憶部１９１に記憶されている宝くじ情報の識別情報とを比較し、照合要求解析結果と識別情報が一致した宝くじ情報を宝くじ情報記憶部１９１から取得する。
【００４４】
＜Ｓ５０３：照合要否判定処理＞
次に、当選番号照合部１３０は照合要求解析結果に基づいて照合要求番号の照合要否を判定する。
このとき、当選番号照合部１３０は抽選日を迎えた宝くじの当選番号を照合対象とする照合要求番号に対して照合が必要であると判定する。
例えば、当選番号照合部１３０はＳ５０２において照合要求解析結果に基づいて取得した宝くじ情報に含まれる抽選日と当日日付とを比較する。そして、当日日付が抽選日以降である場合に、当選番号照合部１３０は当該照合要求解析結果に含まれる照合要求番号に対して照合が必要であると判定する。
【００４５】
当選番号照合部１３０はＳ５０３において照合要求番号に対して照合が必要であると判定した場合にＳ５０４〜Ｓ５０７を実行する。
【００４６】
＜Ｓ５０４：照合条件選択処理＞
次に、当選番号照合部１３０は照合要求解析結果に基づいて照合条件を選択する。
例えば、当選番号照合部１３０はＳ５０３において照合要求番号に対して照合が必要であると判定した当該照合要求解析結果から照合要求桁を取得し、取得した照合要求桁に基づいて照合条件を選択する。
例えば、当選番号照合部１３０は照合要求桁が特定の桁を示す場合、つまり、ユーザが照合する桁を指定した場合には「照合要求桁の照合」を照合条件として選択し、照合要求桁が特定の桁を示さない場合、つまり、ユーザが照合する桁を指定しなかった場合には「全ての桁の照合」を照合条件として選択する。
【００４７】
＜Ｓ５０５：当選番号入力処理＞
次に、当選番号照合部１３０は照合要求解析結果に基づいて宝くじ情報記憶部１９１から当選番号を取得する。
例えば、当選番号照合部１３０はＳ５０２において照合要求解析結果に基づいて宝くじ情報記憶部１９１から取得した宝くじ情報から当選番号を取得する。このとき、宝くじ情報に複数の当選番号が含まれる場合、つまり、当該宝くじに複数の賞が設定されているなど当選番号が１つでない場合、当選番号照合部１３０は１つの当選番号を選択する。
【００４８】
＜Ｓ５０６：照合実行処理＞
次に、当選番号照合部１３０は照合条件に基づいて照合要求番号を当選番号と照合する。
例えば、Ｓ５０４において選択した照合条件が「照合要求桁の照合」である場合、当選番号照合部１３０はＳ５０５において取得・選択した当選番号から照合要求桁に位置する番号を抽出する。次に、当選番号照合部１３０はＳ５０３において照合が必要であると判定された照合要求番号と抽出した当選番号の照合要求桁に位置する番号とを比較する。例えば、照合要求桁が下３桁を示す場合、当選番号の下３桁と照合要求番号とを比較する。
また、Ｓ５０４において当選番号照合部１３０が選択した照合条件が「全ての桁の照合」である場合、当選番号照合部１３０はＳ５０５において取得・選択した当選番号から照合要求番号と同じ桁数の番号を抽出する。次に、当選番号照合部１３０はＳ５０３において照合が必要であると判定した照合要求番号と抽出した当選番号の各番号とを比較する。例えば、照合要求番号が３桁の番号であり、当選番号が５桁の番号である場合に、当選番号照合部１３０は照合要求番号を当選番号の１〜３桁の番号、当選番号の２〜４桁の番号、当選番号の３〜５桁の番号の３パターンの番号それぞれと比較する。
そして、当選番号照合部１３０は比較結果に基づいて照合結果を生成する。例えば、当選番号照合部１３０は照合条件が「照合要求桁の照合」の場合の比較結果である「一致」または「不一致」を示す照合結果を生成する。また例えば、当選番号照合部１３０は照合条件が「全ての桁の照合」の場合の比較結果である「いずれかのパターンの番号と一致」または「いずれのパターンの番号とも不一致」を示す照合結果を生成する。
【００４９】
＜Ｓ５０７：照合ループ判定処理１＞
Ｓ５０５において取得した当選番号が複数ある場合、当選番号照合部１３０は、Ｓ５０５で未照合の当選番号を選択し、Ｓ５０６で選択した当選番号に対して照合要求番号を照合する。
【００５０】
＜Ｓ５０８：照合ループ判定処理２＞
Ｓ５０１で取得した照合要求解析結果（照合要求番号）が複数ある場合、当選番号照合部１３０は各照合要求解析結果についてＳ５０２〜Ｓ５０７を処理する。
つまり、当選番号照合部１３０は抽選日を迎えた宝くじを照合対象とする各照合要求番号に対して各当選番号との照合を行う。
【００５１】
＜Ｓ５０９：照合結果出力処理＞
当選番号照合部１３０は照合結果を当選確率算出部１４０に出力する。
当選番号照合部１３０が当選確率算出部１４０に出力する照合結果は、抽選日を迎えた宝くじの当選番号を照合対象とする各照合要求番号に対する照合結果であり、例えば、照合要求解析結果（照合要求番号を含む）、当選番号、比較結果および有効期限を示す。
比較結果は、例えば、照合条件、一致または不一致、一致桁数などを示す。
【００５２】
図９は、実施の形態１における当選確率算出部１４０が実行する当選確率算出処理（Ｓ１０４）を示すフローチャートである。
次に、当選確率算出処理（Ｓ１０４）について、図９に基づいて以下に説明する。
当選確率算出処理（Ｓ１０４）では、当選確率算出部１４０は、Ｓ１０３において当選番号照合部１３０が照合した照合結果に基づいて、ユーザが購入した宝くじ（購入番号）の当選確率を算出する。
Ｓ１０３において当選番号照合部１３０が生成した照合結果は、例えば、照合要求解析結果（照合要求番号を含む）、当選番号、比較結果および有効期限を示す。
当選確率算出部１４０は以下の処理をＣＰＵ９１１を用いて実行する。
【００５３】
＜Ｓ６０１：確率算出実行処理＞
当選確率算出部１４０は照合結果に基づいて購入番号の当選確率を算出する。
このとき、当選確率算出部１４０は当選番号照合部１３０から各照合結果を入力し、入力した各照合結果から１つの照合結果を選択し、選択した照合結果に基づいて購入番号の当選確率を算出する。
例えば、照合結果が「照合要求番号が３桁」であること、「当選番号が５桁」であること、「照合要求桁の比較結果が一致」したことを示す場合、未照合の桁数は２桁（各桁を０〜９のいずれかの数字とする）であるので、当選確率算出部１４０は未照合である２桁が一致する確率「１％（＝０．０１＝１／１０×１／１０）」を当選確率として算出する。
また、上記例（照合要求番号が３桁、当選番号が５桁）において、照合要求桁が指定されなかったため当選番号から抽出した１〜３桁、２〜４桁、３〜５桁の３パターンの番号と照合要求番号が照合された場合、つまり、照合結果が「照合要求桁の比較結果が一致」ではなく「いずれかのパターンと比較結果が一致」したことを示す場合、桁が一致する確率は１／３であるので、当選確率算出部１４０は「０．３％（＝０．３３・・・＝０．０１×１／３）」を当選確率として算出する。
【００５４】
＜Ｓ６０２：確率算出ループ判定処理１＞
照合結果が複数の当選番号を含む場合、つまり、複数の賞が設定されているなど当選番号が一つでない場合、当選確率算出部１４０は、Ｓ６０１を実行して、各当選番号に対して購入番号の当選確率を算出する。
【００５５】
＜Ｓ６０３：確率算出ループ判定処理２＞
当選確率算出部１４０から入力した照合結果が複数ある場合、当選確率算出部１４０は各照合結果についてＳ６０１〜Ｓ６０２を処理する。つまり、当選確率算出部１４０は抽選日を迎えた宝くじを照合対象とする各購入番号の当選確率を算出する。
【００５６】
＜Ｓ６０４：当選確率出力処理＞
当選確率算出部１４０は算出した各当選確率を当選確率情報として照合応答出力部１５０に出力する。
当選確率算出部１４０が照合応答出力部１５０に出力する当選確率情報は、抽選日を迎えた宝くじを照合対象とする各照合要求番号について算出した各購入番号の当選確率を示し、例えば、照合要求解析結果（ユーザＩＤ、照合要求番号を含む）、当選確率および有効期限を示す。
【００５７】
当選確率算出部１４０が算出する当選確率は、各当選番号に対するそれぞれの当選確率であってもよいし、各当選番号に対するそれぞれの当選確率を合計した当選確率であってもよい。
【００５８】
図１０は、実施の形態１における照合応答出力処理（Ｓ１０５）を示すフローチャートである。
最後に、照合応答出力処理（Ｓ１０５）について、図１０に基づいて以下に説明する。
照合応答出力処理（Ｓ１０５）では、照合応答出力部１５０はユーザが購入した宝くじの当否についての照合応答をユーザ端末装置２００に送信する。
Ｓ１０４において当選確率算出部１４０が生成した当選確率情報は、例えば、照合要求解析結果（ユーザＩＤ、照合要求番号を含む）、当選確率および有効期限を示す。
照合応答出力部１５０、ユーザ端末装置２００は以下の処理をＣＰＵ９１１を用いて実行する。
【００５９】
＜Ｓ７０１：照合応答先取得処理＞
照合応答出力部１５０は照合応答を送信する宛先を取得する。
例えば、照合応答出力部１５０は当選確率算出部１４０から各当選確率情報を入力し、各当選確率情報からユーザＩＤを取得する。そして、照合応答出力部１５０は取得した各ユーザＩＤでユーザ情報記憶部１９２を検索し、各ユーザＩＤに対応する電子メールアドレスを取得する。取得した電子メールアドレスを宛先とする電子メールはユーザ端末装置２００が受信できるものとする。
＜Ｓ７０２：照合応答生成処理＞
照合応答出力部１５０はユーザが購入した宝くじの当否についての照合応答を生成する。
例えば、照合応答出力部１５０は、Ｓ７０１で取得した各電子メールアドレスを宛先として、照合要求番号、当選確率および有効期限を示す内容の各電子メールを生成する。
＜Ｓ７０３：照合応答送信処理＞
照合応答出力部１５０は照合応答を送信する。
例えば、照合応答出力部１５０はＳ７０２で生成した電子メールを送信する。
＜Ｓ７０４：照合応答受信処理＞
各ユーザ端末装置２００は照合応答を受信する。
例えば、ユーザ端末装置２００は電子メールの受信処理を行い、照合要求、当選確率および有効期限を示す内容の電子メールを受信する。
＜Ｓ７０５：照合応答出力処理＞
各ユーザ端末装置２００は受信した照合応答を出力機器に出力する。
例えば、ユーザ端末装置２００は受信した電子メールを表示装置に表示する。
【００６０】
上記照合処理（Ｓ１０１〜Ｓ１０５）により、宝くじ当選通知装置１００はユーザが購入した宝くじの番号（購入番号）について一部分の番号（照合要求番号）に基づいて当選判定を行い、購入番号の当選確率（適合確率）に関してユーザ端末装置２００に通知を行う。
【００６１】
ここで、宝くじは、６桁程度の番号で一意に識別される通常の宝くじでもユーザが任意に数字を選択する数字選択式の宝くじでも構わない。通常の宝くじとは「ジャンボ宝くじ」、「全国自治宝くじ」などと呼ばれるくじのことであり、数字選択式の宝くじとは「ナンバーズ」、「ロト６」、「ミニロト」などと呼ばれるくじのことである。
【００６２】
通常の宝くじと数字選択式の宝くじとを扱う場合、照合処理（Ｓ１０１〜Ｓ１０５）では、例えば、以下のように処理すればよい。
【００６３】
当選番号照合処理（Ｓ１０３）のＳ５０４（照合条件選択処理）において、当選番号照合部１３０は照合要求解析結果に含まれる種別に基づいて照合条件を選択する。
例えば、「ナンバーズ（ボックス）」、「ロト６」、「ミニロト」の当選条件は当選番号が順不同であり、その他の宝くじは当選番号と同順であることを当選条件としている。
そのため、当選番号照合部１３０は種別が「ナンバーズ（ボックス）」、「ロト６」、「ミニロト」のいずれかを示す場合には「順不同」を照合条件として選択し、種別がその他の宝くじを示す場合には「同順」を照合条件として選択するとよい。
【００６４】
当選番号照合処理（Ｓ１０３）のＳ５０６（照合実行処理）において、当選番号照合部１３０は照合条件に基づいて照合要求番号を当選番号と照合する。
例えば、照合条件が「順不同」である場合、照合要求番号の任意の桁と当選番号の任意の桁とを比較し、一致した桁数を示す照合結果を生成する。
例えば、当選番号が「３５４２」であり、照合要求番号が「２３４」であれば、「２」、「３」、「４」の３桁が一致するため、「３桁一致」を比較結果として照合結果を生成する。
【００６５】
当選確率算出処理（Ｓ１０４）のＳ６０１（確率算出実行処理）において、当選確率算出部１４０は照合結果に基づいて購入番号の当選確率を算出する。
例えば、照合結果が「照合要求番号が３桁」であること、「当選番号が４桁」であること、「順不同の比較結果が３桁一致」したことを示す場合、未照合の桁数は１桁（各桁を０〜９のいずれかの数字とする）であるので、当選確率算出部１４０は未照合である１桁が一致する確率「１０％（＝０．１＝１／１０）」を当選確率として算出する。
【００６６】
実施の形態２．
上記実施の形態１では、１つの照合要求番号に基づいて購入番号の当選確率を算出する形態について説明した。
実施の形態２では、２つ以上の照合要求番号に基づいて購入番号の当選確率を算出する形態について説明する。
つまり、照合要求入力部１１０（照合記号入力部の一例）が新たな照合要求番号（新たな入力記号の一例）を入力し、当選番号照合部１３０（照合部の一例）が新たな照合要求番号を当選番号（特定記号の一例）と照合し、当選確率算出部１４０（適合確率算出部の一例）が前回の照合結果と新たな照合結果とに基づいて新たに当選確率（適合確率の一例）を算出する形態について説明する。
以下、上記実施の形態１と異なる事項について説明し、説明しない事項は上記実施の形態１と同様である。
【００６７】
図１１は、実施の形態２における宝くじ当選通知装置１００が実行する照合処理を示すフローチャートである。
実施の形態２における宝くじ当選通知装置１００の照合方法について、図１１に基づいて以下に説明する。
【００６８】
Ｓ８０１〜Ｓ８０５はそれぞれ上記実施の形態１におけるＳ１０１〜Ｓ１０５に対応する。
図１１に示すように、実施の形態２における宝くじ当選通知装置１００の照合方法はＳ８０１〜Ｓ８０５を繰り返して照合応答する点が上記実施の形態１と異なる。
【００６９】
つまり、照合応答出力部１５０が照合応答を送信後（Ｓ８０５）、照合要求入力部１１０は新たに照合要求を受信し（Ｓ８０１）、照合要求解析部１２０は新たな照合要求を解析し（Ｓ８０２）、当選番号照合部１３０は新たな照合要求番号を当選番号と照合し（Ｓ８０３）、当選確率算出部１４０は前回の照合結果と新たな照合結果とに基づいて当選確率を算出し（Ｓ８０４）、照合応答出力部１５０が新たに照合応答を送信する（Ｓ８０５）。
【００７０】
上記のように照合処理を行うため、宝くじ当選通知装置１００はＳ８０３において当選番号照合部１３０が照合した照合結果を記憶機器に記憶する。これにより、宝くじ当選通知装置１００は、次回以降のＳ８０４において、当選確率算出部１４０が新たな当選確率の算出のために前回以前の照合結果を使用できるようにする。
【００７１】
Ｓ８０１において、１回目に受信した照合要求が示す照合要求番号と２回目以降に受信した照合要求が示す照合要求番号とは、同一の購入番号の異なる部分を示すものとする。
例えば、購入番号の下１桁が１回目の照合要求番号になり、購入番号の下２桁目が２回目の照合要求番号になる。
つまり、実施の形態２により、宝くじ当選通知装置１００は購入番号の下の桁から順々に当選番号と照合し、照合すると共に上がっていく当選確率（またはハズレが確定したこと）をユーザに通知することができる。
【００７２】
例えば、当選番号が３桁（各桁を０〜９のいずれかの数字とする）であり、Ｓ８０１において照合要求入力部１１０が購入番号の１桁ずつを照合要求番号とする照合要求を受信した場合、Ｓ８０４において当選確率算出部１４０が算出する当選確率は以下のようになる。Ｓ８０４において当選確率算出部１４０が算出した当選確率は、Ｓ８０５において、照合応答出力部１５０により照合応答としてユーザ端末装置２００に送信され、ユーザ端末装置２００により表示装置などの出力装置に出力される。これにより、ユーザは当選確率を知ることができる。
【００７３】
１回目のＳ８０３において当選番号照合部１３０が照合した照合結果が「一致桁数：１」を示す場合、１回目のＳ８０４において当選確率算出部１４０は未照合である２桁が一致する確率「１％（＝０．０１＝１／１０×１／１０）」を当選確率として算出する。
２回目のＳ８０３において当選番号照合部１３０が照合した照合結果が「一致桁数：１」を示す場合、２回目のＳ８０４において当選確率算出部１４０は１回目の照合結果の「一致桁数：１」と２回目の照合結果の「一致桁数：１」とを足して「一致桁数：２」を照合結果とする。そして、当選確率算出部１４０は未照合である１桁が一致する確率「１０％（＝０．０１＝１／１０）」を当選確率として算出する。
３回目のＳ８０３において当選番号照合部１３０が照合した照合結果が「一致桁数：１」を示す場合、３回目のＳ８０４において当選確率算出部１４０は２回目までの照合結果の「一致桁数：２」と３回目の照合結果の「一致桁数：１」とを足して「一致桁数：３」を照合結果とする。そして、当選確率算出部１４０は当選番号と全桁適合したので「１００％」を当選確率として算出する。
また、３回目のＳ８０３において当選番号照合部１３０が照合した照合結果が「不一致」を示す場合、当選確率算出部１４０は当選番号と適合しなかったので「０％」を当選確率として算出する。
【００７４】
各実施の形態において、以下のような宝くじ当選通知システム３００について説明した。
（１）宝くじ当選番号の抽出について
ＡＳＰ（Ａｐｐｌｉｃａｔｉｏｎ  Ｓｅｒｖｉｃｅ  Ｐｒｏｖｉｄｅｒ）サーバ（宝くじ当選通知装置１００の一例）は、宝くじ主催（または代行）機関のインターネットによる宝くじの当選番号の案内・照会ページから、ＭＡＳＫ機能（当選番号取得処理［Ｓ２０３］の一例）により当選番号を抜き出し、抜き出した当選番号を記憶機器（宝くじ情報記憶部１９１）に保持する。宝くじは、基本的に日本で売り出される全ての宝くじ（ナンバーズ３／４、ミニロト、ロト６、ジャンボ宝くじ等）に適用可能である。ＭＡＳＫ機能は当該ページのフォーマットに基づいて特定の位置に設定される情報（例えば、当選番号）を抽出する機能である。
（２）宝くじの購入番号の事前登録について
ユーザは、宝くじ購入時に、パソコンまたは携帯電話（ユーザ端末装置２００の一例）から宝くじ購入番号、抽選日、購入者（共同購入者も含む）を事前入力し、ＡＳＰサーバの個人用データベース（照合要求記憶部１９３）に登録する。
予め登録する宝くじの番号（照合要求番号）は下３桁程度とし、ユーザがインターネットから宝くじの番号を入力できるような仕組み（例えば、照合要求入力部１１０）をＡＳＰサーバは有する。また、ＡＳＰサーバは抽選日後の入力による当選番号照会も可能である。宝くじは下２〜３桁で当たりハズレの凡その確率がわかるため、ＡＳＰサーバは宝くじ券の全桁数を見なくても下２〜３桁を見て当選／ハズレを判定することができる。また、ユーザにとっては当選番号の登録が非常に楽になる。ＡＳＰサーバは「当たりハズレの最終判断は、パソコンで詳細を見ながら確認してください」というメッセージを照合応答で通知してもよい。
（３）宝くじ抽選日のあたり／はずれ判定について
ＡＳＰサーバは、宝くじの抽選日に、宝くじの照合要求番号と当選番号とを比較照合し、宝くじ券のあたり／はずれを判定する。具体的には、（２）でユーザが予め登録した番号（その一部でも良い）と照合する。
（４）宝くじの当選結果通知について
ＡＳＰサーバは、宝くじのあたり／はずれを判定した結果として、当選または当選確率の高いという情報（照合応答）を利用者の携帯またはパソコンのメールアドレスにプッシュメールで即時通知する。このとき、ＡＳＰサーバは宝くじのあたり券有効期限も通知する。
【００７５】
各実施の形態における宝くじ当選通知システム３００により、ユーザは宝くじ購入番号を購入時点で事前登録しておくことで、当選番号の確認し忘れ等による宝くじ券の無効化を確実になくすことができる。また、ユーザは宝くじの楽しみ方を多様化することができる。例えば、ユーザは購入番号の一部について宝くじ当選通知装置１００から当選確率を受ける楽しみと、当選確率を受けた後に自らが当選番号と購入番号とを照合することにより当たり／ハズレを確定させる楽しみとの２倍の楽しみを得ることができる。
【００７６】
各実施の形態において、宝くじ当選通知装置１００が照合する対象は「宝くじの番号」に限らず、複数記号から成る記号列であればよい。つまり、宝くじ当選通知装置１００が照合する対象は文字、符号、数字、マークなどから成る記号列でもよく、例えば、受験番号でもよい。
各実施の形態における「購入番号」および「当選番号」は複数記号から成る記号列の一例である。また、「照合要求番号」は複数記号から成る記号列の一部であり、１以上の記号から成る記号列の一例である。
【図面の簡単な説明】
【００７７】
【図１】実施の形態１における宝くじ当選通知システム３００の構成図。
【図２】実施の形態１における宝くじ当選通知装置１００の外観の一例を示す図。
【図３】実施の形態１における宝くじ当選通知装置１００のハードウェア資源の一例を示す図。
【図４】実施の形態１における宝くじ当選通知装置１００が実行する照合処理を示すフローチャート。
【図５】実施の形態１における宝くじ情報取得部１６０が実行する宝くじ情報取得処理を示すフローチャート。
【図６】実施の形態１における照合要求入力処理（Ｓ１０１）を示すフローチャート。
【図７】実施の形態１における照合要求解析部１２０が実行する照合要求解析処理（Ｓ１０２）を示すフローチャート。
【図８】実施の形態１における当選番号照合部１３０が実行する当選番号照合処理（Ｓ１０３）を示すフローチャート。
【図９】実施の形態１における当選確率算出部１４０が実行する当選確率算出処理（Ｓ１０４）を示すフローチャート。
【図１０】実施の形態１における当選通知処理（Ｓ１０５）を示すフローチャート。
【図１１】実施の形態２における宝くじ当選通知装置１００が実行する照合処理を示すフローチャート。
【符号の説明】
【００７８】
１００  宝くじ当選通知装置、１１０  照合要求入力部、１２０  照合要求解析部、１３０  当選番号照合部、１４０  当選確率算出部、１５０  照合応答出力部、１６０  宝くじ情報取得部、１９１  宝くじ情報記憶部、１９２  ユーザ情報記憶部、１９３  照合要求記憶部、２００  ユーザ端末装置、３００  宝くじ当選通知システム、９０１  表示装置、９０２  キーボード、９０３  マウス、９０４  ＦＤＤ、９０５  ＣＤＤ、９０６  プリンタ装置、９０７  スキャナ装置、９０８  マイク、９０９  スピーカー、９１０  システムユニット、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９３１  電話器、９３２  ファクシミリ機、９４０  インターネット、９４１  ゲートウェイ、９４２  ＬＡＮ。
【図１】
2008033650.tif 000003
【図２】
2008033650.tif 000004
【図３】
2008033650.tif 000005
【図４】
2008033650.tif 000006
【図５】
2008033650.tif 000007
【図６】
2008033650.tif 000008
【図７】
2008033650.tif 000009
【図８】
2008033650.tif 000010
【図９】
2008033650.tif 000011
【図１０】
2008033650.tif 000012
【図１１】
2008033650.tif 000013